(57)【要約】【課題】壁掛け時あるいは壁寄せ時でも内部の熱を良好に排出することのできるプラズマディスプレイ装置を提供する。【解決手段】プラズマディスプレイ装置１は、ＰＤＰを前面で支持するシャーシと、シャーシの背面の所定領域上に位置する複数の回路基板１９と、シャーシの背面における前記所定領域の外側を覆う縁部７１、および複数の回路基板１９を収容する突出部７２を有するバックカバー７と、を備えている。突出部７２の周壁７４には複数の吸気口１１および複数の排気口１０が設けられ、突出部７２で囲まれる空間内にはファンが配設されている。【選択図】図１
2011053258.tif 000002
【特許請求の範囲】
【請求項１】
プラズマディスプレイパネルと、
前記プラズマディスプレイパネルを前面で支持するシャーシと、
前記シャーシの背面の所定領域上に位置する複数の回路基板と、
前記シャーシの背面における前記所定領域の外側を覆う縁部、および前記縁部の内側で前記シャーシと反対側に突出し、前記複数の回路基板を収容する突出部を有するバックカバーと、を備え、
前記突出部は、前記複数の回路基板を挟んで前記シャーシの背面に対向する底壁と、この底壁の周縁から前記シャーシ側に延びる周壁とを有し、
前記周壁には複数の吸気口および複数の排気口が設けられ、前記突出部で囲まれる空間内にはファンが配設されている、プラズマディスプレイ装置。
【請求項２】
前記突出部で囲まれる空間内には、当該空間を前記シャーシ側の前方空間と前記底壁側の後方空間とに仕切る仕切り板が配設されており、
前記複数の吸気口は、前記前方空間に開口しており、前記複数の排気口は、前記後方空間に開口している、請求項１に記載のプラズマディスプレイ装置。
【請求項３】
前記仕切り板には、前記前方空間と前記後方空間とを連通する連通孔が設けられており、
前記ファンは、前記連通孔と重なるように前記仕切り板に取り付けられている、請求項２に記載のプラズマディスプレイ装置。
【請求項４】
前記プラズマディスプレイパネルは、直立姿勢となっており、
前記周壁は、前記突出部の上面を構成する上辺部と、前記突出部の下面を構成する下辺部と、前記突出部の左右側面を構成する一対の側辺部を有しており、
前記複数の吸気口および前記複数の排気口は、前記上辺部および前記一対の側辺部のそれぞれに設けられている、請求項２または３に記載のプラズマディスプレイ装置。
【請求項５】
前記複数の吸気口と前記複数の排気口とは、前記周壁の周方向に千鳥状に並んでおり、前記周壁の周方向において互いに離間している、請求項２〜４のいずれか一項に記載のプラズマディスプレイ装置。
【請求項６】
前記周壁には、前記複数の吸気口に吸引される空気の流路と前記複数の排気口から排出される空気の流路とを隔てるガイド板が設けられている、請求項２〜５のいずれか一項に記載のプラズマディスプレイ装置。
【請求項７】
前記複数の回路基板は、前記前方空間内に位置している、請求項２〜６のいずれか一項に記載のプラズマディスプレイ装置。
【請求項８】
前記仕切り板は、前記複数の回路基板に実装された電子部品に接触するように配置された熱拡散板である、請求項２〜７のいずれか一項に記載のプラズマディスプレイ装置。
【発明の詳細な説明】
【技術分野】
【０００１】
本発明は、プラズマディスプレイパネルを表示デバイスとして用いたプラズマディスプレイ装置に関するものである。
【背景技術】
【０００２】
近年、薄型ディスプレイ装置が急激に普及し始めている。このような薄型ディスプレイ装置は今後ますます普及し、従来のＣＲＴに取って代わることが予想される。現在、薄型ディスプレイ装置の設置場所は従来のＣＲＴの様に床に置くことが多いが、将来、薄型ディスプレイ装置の省スペースという特徴をより活かした壁掛けあるいは壁寄せなどの設置が主流になってくる。
【０００３】
ところで、従来、薄型ディスプレイ装置の１つであるプラズマディスプレイ装置では、バックカバーに吸気口および排気口を設け、ファンを用いて強制対流（換気）を利用し、内部の熱を外部に排出している。また、ファンは用いずに自然対流（換気）を利用して内部の熱を外部に排出しているものもある。
【０００４】
例えば特許文献１には、図３に示すようなプラズマディスプレイ装置１０１が開示されている。このプラズマディスプレイ装置１０１では、フロントカバー１０８とバックカバー１０７で構成される筐体内に、プラズマディスプレイパネル（以下「ＰＤＰ」という。）１０２と、ＰＤＰ１０２を前面で支持するシャーシ１０３と、シャーシ１０３の背面にボスを介して取り付けられた複数の回路基板１２０とが収容されている。また、ＰＤＰ１０２とシャーシ１０３との間には、熱伝導シート１０４が挟まれている。
【０００５】
さらに、バックカバー１０７の下部には吸気口１１１が上部には排気口１１０が設けられ、バックカバー１０７の内側には排気口１１０と重なるようにファン１０９が配設されている。そして、ファン１０９が稼働すると、図中に矢印ａで示すように吸気口１１１を通じて外気がバックカバー１０７内に取り込まれるとともに、バックカバー１０７内の空気が図中に矢印ｂで示すように排気口１１０を通じて外部に排出される。これにより、シャーシ１０３と回路基板１２０とが強制対流によって冷却され、ＰＤＰ１０２からシャーシ１０３を介して放熱される熱および回路基板１２０の熱が外部に排出される。
【先行技術文献】
【特許文献】
【０００６】
【特許文献１】特開２００３−１６２２２８号公報
【発明の概要】
【発明が解決しようとする課題】
【０００７】
しかしながら、図３に示す構成では、プラズマディスプレイ装置１０１が壁掛けされたり壁寄せされたりした場合には、バックカバー１０７が壁面に近接または接触することにより、吸気口１１１への空気の流入および排気口１１０からの空気の流出が阻害され、内部の熱を十分に排出できなくなる。
【０００８】
本発明は、このような事情に鑑み、壁掛け時あるいは壁寄せ時でも内部の熱を良好に排出することのできるプラズマディスプレイ装置を提供することを目的とする。
【課題を解決するための手段】
【０００９】
前記従来の課題を解決するために、本発明のプラズマディスプレイ装置は、ＰＤＰと、前記ＰＤＰを前面で支持するシャーシと、前記シャーシの背面の所定領域上に位置する複数の回路基板と、前記シャーシの背面における前記所定領域の外側を覆う縁部、および前記縁部の内側で前記シャーシと反対側に突出し、前記複数の回路基板を収容する突出部を有するバックカバーと、を備え、前記突出部は、前記複数の回路基板を挟んで前記シャーシの背面に対向する底壁と、この底壁の周縁から前記シャーシ側に延びる周壁とを有し、前記周壁には複数の吸気口および複数の排気口が設けられ、前記突出部で囲まれる空間内にはファンが配設されていることを特徴とする。
【発明の効果】
【００１０】
上記の構成によれば、回路基板が集中配置され、これらの回路基板がバックカバーの突出部に収容されているので、バックカバーの突出部の周囲にバックカバーの縁部に面する空間を確保することができる。そして、バックカバーの突出部の周壁に吸気口および排気口が設けられているので、プラズマディスプレイ装置が壁掛けあるいは壁寄せされて突出部の底壁が壁面に近接または接触した場合でも、バックカバーの縁部に面する空間をファンによる回路基板の熱の放熱経路として確保することができる。また、ＰＤＰからシャーシを介して放熱される熱は、輻射によってバックカバーの縁部を介して大気中に放出される。従って、本発明によれば、壁掛け時あるいは壁寄せ時でも内部の熱を良好に排出することができる。
【図面の簡単な説明】
【００１１】
【図１】本発明の一実施形態に係るプラズマディスプレイ装置の構成を示す概略斜視図
【図２】図１のプラズマディスプレイ装置の概略断面図
【図３】従来のプラズマディスプレイ装置の概略断面図
【発明を実施するための形態】
【００１２】
以下、本発明を実施するための形態について図面を参照しながら説明するが、本発明はこれらに限定されるものではない。
【００１３】
図１および図２に、本発明の一実施形態に係るプラズマディスプレイ装置１を示す。このプラズマディスプレイ装置１は、画像を表示するＰＤＰ２と、ＰＤＰ２を前面で支持するシャーシ３と、シャーシ３の背面側に配置された、ＰＤＰ２を駆動するための複数の回路基板１９とを備えている。なお、図１では、簡略化のために、複数の回路基板１９を１つの基板として描いている。また、プラズマディスプレイ装置１は、ＰＤＰ２、シャーシ３および回路基板１９を収容する筐体を構成するフロントカバー８およびバックカバー７を備えている。
【００１４】
ＰＤＰ２は、長方形状の形状を有しており、本実施形態では脚部５を有する設置用の基台６により、長手方向が略水平方向になり短手方向が略鉛直方向になる直立姿勢で配置されている。具体的に、ＰＤＰ２は、前面ガラス基板と背面ガラス基板とが貼り合わされて構成されており、その内部には放電空間が形成されている。
【００１５】
シャーシ３は、放熱板を兼ねた支持材として用いられており、放熱性を考慮してアルミニウム等の金属で構成されている。なお、ＰＤＰ２とシャーシ３との間には、図３に示した従来のプラズマディスプレイ装置１０１のように熱伝導シート１０４が挟まれていてもよい。
【００１６】
回路基板１９は、密集して配置されていて、シャーシ３の背面の所定領域上に位置している。本実施形態では、図１に示すように、シャーシ３の背面の所定領域は、当該背面の中央下部である。図２に示すように、回路基板１９の一方面には複数の電子部品１９ａが実装されており、回路基板１９は、その一方面がシャーシ３と反対側を向く姿勢でシャーシ３の背面と平行に配置されている。回路基板１９は、シャーシ３の背面にボスを介して取り付けられている。
【００１７】
フロントカバー８は、正面視で矩形状の枠体であり、ＰＤＰ２の前面の周縁部を覆っている。フロントカバー８は、例えば樹脂で構成される。一方、バックカバー７は、ＰＤＰ２およびシャーシ３を回路基板１９の上から包み込むような形状を有している。バックカバー７は、例えば、表裏に高放射性セラミックスシートが貼付された金属、黒色などのアルマイト処理された金属、カーボンブラックを塗布した金属などで構成することができる。これらの金属には、アルミニウムまたは鉄などを主成分とした合金などが用いられる。
【００１８】
具体的に、バックカバー７は、シャーシ３の背面における前記所定領域の外側を覆う縁部７１と、この縁部７１の内側でシャーシ３と反対側に突出し、回路基板１９を収容する突出部７２とを有している。
【００１９】
本実施形態では、前記所定領域がシャーシ３の背面の中央下部であるため、その外側を覆う縁部７１は、背面視で下方に開口するコ字状をなしている。ただし、縁部７１の形状はこれに限られるものではなく、例えば、回路基板１９の存する領域を規定する所定領域がシャーシ３の背面の中央部分であり、縁部７１がそれに対応して背面視で矩形枠状となっていてもよい。
【００２０】
突出部７２は、回路基板１９を挟んでシャーシ３の背面に対向する底壁７３と、この底壁７３の周縁からシャーシ３側に延び、底壁７３の周縁と縁部７１の内縁とをつなぐ周壁７４とを有している。周壁７４は、左右に長い矩形筒状をなしており、突出部７２の上面を構成する上辺部７４ａ、突出部７２の下面を構成する下辺部７４ｂ、および突出部７２の左右側面を構成する一対の側辺部７４ｃを有している。
【００２１】
さらに、本実施形態では、突出部７２内の換気を行う構成として、周壁７４の上辺部７４ａおよび一対の側辺部７４ｃのそれぞれに、外気を取り入れるための複数の吸気口１２と内部空気を外部に排出するための複数の排気口１１が設けられている。また、突出部７２で囲まれる空間内には、ファン１０が配設されている。
【００２２】
突出部７２で囲まれる空間内には、当該空間をシャーシ側の前方空間Ｓ１と底壁７３側の後方空間Ｓ２とに仕切る仕切り板１８が配設されている。そして、吸気口１２は、上辺部７４ａおよび一対の側辺部７４ｃの前側位置に設けられていて、前方空間Ｓ１に開口しており、排気口１１は、上辺部７４ａおよび一対の側辺部７４ｃの後側位置に設けられていて、後方空間Ｓ２に開口している。
【００２３】
各吸気口１２および各排気口１１は、実際は複数本の直線上に配列された微少な貫通孔の集合体であるが、図１では、簡略化のためにそれらの貫通孔を１つの開口で表している。各貫通孔は、外部からの高温となる内部への接触を防止するために、ユーザーの指が挿入できないような数ミリ程度の大きさである。これにより、やけど等を防止することができる。また、各貫通孔の形状は、矩形であってもよいし、円形あるいは楕円形であってもよい。
【００２４】
本実施形態では、吸気口１２と排気口１１とは、周壁７４の周方向に千鳥状に並んでいる。排気口１１から排出された空気が吸気口１２から再度突出部７２内に取り込まれ難くするという観点からは、吸気口１２と排気口１１とは周壁７２の周方向において互いに離間していることが好ましい。換言すれば、吸気口１２と排気口１１とは、シャーシ３の厚み方向において重なり合わない位置に位置していることが好ましい。
【００２５】
仕切り板１９は、回路基板１９に実装された電子部品１９ａに接触するように回路基板１９と平行に配置された熱拡散板である。すなわち、回路基板１９は、前方空間Ｓ１内に位置している。そして、仕切り板１９には、前方空間Ｓ１と後方空間Ｓ２とを連通する連通孔１８ａが設けられており、この連通孔１８ａと重なるようにファン１０が仕切り板１９の背面に取り付けられている。
【００２６】
本実施形態では、ファン１０として遠心ファンが採用されており、ファン１０は、連通孔１８ａを通じて前方空間Ｓ１から吸い込んだ空気を上方に吐出する姿勢で配置されている。仕切り板１の背面には、ファン１０の上方にヒートシンク１７が取り付けられており、ファン１０から上方に吐出された空気がヒートシンク１７のフィン間を流れるようになっている。
【００２７】
さらに、本実施形態では、排気口１１から排出された空気が吸気口１２から再度突出部７２内に取り込まれることを防止するために、周壁１２の上辺部７４ａおよび一対の側辺部７４ｃに、吸気口１２に吸引される空気の流路と排気口１１から排出される空気の流路とを隔てるガイド板２０が設けられている。なお、図１では、吸気口１２と排気口１１の位置関係を示すために、ガイド板２０を省略している。ガイド板２０は、幅数ミリ程度の長方形板状の樹脂板であり、例えば溶着によって周壁１２に固定される。
【００２８】
次に、本実施形態のプラズマディスプレイ装置１の放熱について説明する。
【００２９】
ＰＤＰ２で発生する熱は、ＰＤＰ２の前面からは輻射作用などによって大気中へ放出されるとともに、ＰＤＰ２の背面からシャーシ３に伝達される。シャーシ４に伝達された熱は、図２中に矢印Ｃで示すように輻射によってバックカバー７の縁部７１を介して大気中に放出される。
【００３０】
一方、突出部７２内の回路基板１９は、強制対流により冷却される。すなわち、ファン１０が稼働すると、図２中に矢印Ａで示すように吸気口１２を通じて外気が突出部７２内（前方空間Ｓ１）に取り込まれるとともに、突出部７２内（後方空間Ｓ２）の空気が図中に矢印Ｂで示すように排気口１１を通じて外部に排出される。これにより、回路基板１９の熱が外部に排出される。
【００３１】
回路基板１９の放熱に関し、より詳しくは、回路基板１９に実装された電子部品１９ａで発生する熱は、仕切り板１８を介してヒートシンク１７に伝わり、ファン１０によってヒートシンク１７のフィン間に流される空気に伝達される。さらに、仕切り板１８に伝わった熱は、輻射によっても突出部７２の底壁７３を介して大気中へ放出される。一方、仕切り板１８に伝わらなかった熱は、吸気口１２を通じて前方空間Ｓ１に流入する空気に伝達される。
【００３２】
以上説明したように、本実施形態のプラズマディスプレイ装置１では、回路基板１９が集中配置され、これらの回路基板１９がバックカバー７の突出部７２に収容されているので、バックカバー７の突出部７２の周囲にバックカバー７の縁部７１に面する空間を確保することができる。そして、バックカバー７の突出部７２の周壁７４に吸気口１２および排気口１１が設けられているので、プラズマディスプレイ装置１が壁掛けあるいは壁寄せされて突出部７２の底壁７３が壁面９に近接または接触した場合でも、バックカバー７の縁部７１に面する空間をファン１０による回路基板１９の熱の放熱経路として確保することができる。また、ＰＤＰ２からシャーシ３を介して放熱される熱は、輻射によってバックカバー７の縁部７１を介して大気中に放出される。
【００３３】
従って、本実施形態によれば、壁掛け時あるいは壁寄せ時でも内部の熱を良好に排出することができる。しかも、バックカバー７の周縁の厚みが薄くなるため、視覚的な薄型化を実現することができる。
【００３４】
また、本実施形態では、吸気口１２が仕切り板１８よりも前方の前方空間Ｓ１に開口し、排気口１１が仕切り板１８よりも後方の後方空間Ｓ２に開口しているので、吸気口１２に吸引される比較的に低温の空気は、バックカバー７の縁部７１に沿って流れるようになる。従って、縁部７１からは、輻射だけでなく熱伝達によっても放熱されるようになり、ＰＤＰ２の放熱効果をさらに促進することができる。特に、本実施形態では、吸気口１２および排気口１１が周壁７４の上辺部７４ａおよび一対の側辺部７４ｃに設けられているので、縁部７１において広い範囲で熱伝達による放熱を行うことができる。
【００３５】
さらに、本実施形態では、周壁７４に吸気口１２と排気口１１の間に位置するようにガイド板２０が設けられているので、排気口１１から吸気口１２へ向かう循環流れが形成されるのを防止することができる。これにより、回路基板１９の排熱性を高めて冷却効果を向上させることができる。
【００３６】
なお、前記実施形態では、吸気口１２および排気口１１が周壁７４の上辺部７４ａおよび一対の側辺部７４ｃに設けられていたが、吸気口１２および排気口１１の配置はこれに限られるものではない。例えば、一対の側辺部７４ｃに吸気口１２のみを設け、上辺部７４ａに排気口１１のみを設けるようにしてもよい。
【００３７】
あるいは、突出部７２の内部に仕切り板１８が配設されていない場合には、下辺部７４ｂに吸気口１２を設け、上辺部７４ａに排気口１１を設けるようにしてもよい。
【００３８】
また、前記実施形態では、回路基板１９が前方空間Ｓ１内に位置しているが、回路基板１９は、後方空間Ｓ２内に位置していてもよい。
【００３９】
さらには、仕切り板１８には必ずしも連通孔１８ａが設けられている必要はなく、例えば、仕切り板１８の下端部と突出部７２の周壁７４の下辺部７４ｂとの間に、前方空間Ｓ１と後方空間Ｓ２とを連通する隙間が形成されていてもよい。この場合には、その隙間に軸流ファンを設置することも可能である。
【産業上の利用可能性】
【００４０】
本発明は、プラズマディスプレイ装置においてさらなる薄型化を実現するために回路基板を集中配置したときの温度低減に効果的である。
【符号の説明】
【００４１】
１    プラズマディスプレイ装置
２    ＰＤＰ
３    シャーシ
７    バックカバー
７１  縁部
７２  突出部
７３  底壁
７４  周壁
７４ａ  上辺部
７４ｂ  下辺部
７４ｃ  側辺部
８    フロントカバー
１０  ファン
１１  排気口
１２  吸気口
１８  仕切り板
１８ａ  連通孔
１９  回路基板
１９ａ  電子部品
２０  ガイド板
Ｓ１  前方空間
Ｓ２  後方空間
【図１】
2011053258.tif 000003
【図２】
2011053258.tif 000004
【図３】
2011053258.tif 000005